(57)【要約】　　　（修正有）【課題】検査・処置の流れを総合的に容易に把握でき、検査ないしは処置における細部まで記録に残して検査後に確認し説明可能な検査／処置情報記録システムを提供する。【解決手段】室内における検査ないしは処置の様子を当該室内の全体の映像として取得可能な第１の映像取得手段と、前記室内の術者の術中の手元映像を取得可能な第２の映像取得手段と、前記術者の術中の音声情報を取得可能な音声情報取得手段と、前記術者により検査される被検体に関する画像を収集して画像診断を行うための医用画像診断装置と、前記術中に前記医用画像診断装置にて撮像されて全ての各診断画像情報、前記術中に前記音声情報取得手段にて取得された音声情報を合成した合成情報ファイルを情報処理装置と通信可能に形成され、作成された合成情報ファイルの各情報を画面を分割した各表示領域に各々対応するように連動して表示される情報端末と、により構成される。【選択図】　　　図１
2004041605.tif 000002
【特許請求の範囲】
【請求項１】
室内における検査ないしは処置の様子を当該室内の全体の映像として取得可能な第１の映像取得手段と、
前記室内の術者の術中の手元映像を取得可能な第２の映像取得手段と、
前記術者の術中の音声情報を取得可能な音声情報取得手段と、
前記術者により検査される被検体に関する画像を収集して画像診断を行うための医用画像診断装置と、
前記第１の映像取得手段、前記第２の映像取得手段、前記音声情報取得手段、および前記医用画像診断装置と通信可能に形成され、術中に前記第１の映像取得手段にて取得された映像情報、前記術中に前記第２の映像取得手段にて取得された映像情報、前記術中に前記医用画像診断装置にて撮像されて全ての各診断画像情報、前記術中に前記音声情報取得手段にて取得された音声情報を、取得されたタイミングでの各時間情報に基づいて関連付けする情報処理装置と、
前記情報処理装置と通信可能に形成され、関連付けされた各情報を、少なくとも１つの表示画面を分割した各表示領域に、各々対応するように連動して表示される情報端末と、
を含むことを特徴とする検査／処置情報記録システム。
【請求項２】
前記情報処理装置は、前記各映像情報、全ての各診断画像情報、前記音声情報を合成した合成情報ファイルを、取得されたタイミングでの各時間情報に基づいて作成し、
前記情報端末は、作成された合成情報ファイルの各情報を、少なくとも１つの表示画面を分割した各表示領域に、各々対応するように連動して表示されることを特徴とする請求項１に記載の検査／処置情報記録システム。
【請求項３】
前記情報処理装置と通信可能に形成され、前記情報処理装置からの前記合成情報ファイルを保存記録する記録媒体を有し、
前記情報処理装置は、前記情報端末からのアクセス要求に応じて前記合成情報ファイルを前記記録媒体から呼び出して前記情報端末に対して転送することを特徴とする請求項２に記載の検査／処置情報記録システム。
【請求項４】
前記医用画像診断装置は、略Ｃ字形状となる支持器並びに該支持器の一端および他端にそれぞれ対向するよう備えられたＸ線発生手段およびＸ線検出手段を有し前記支持器の位置ないし姿勢に応じた種々の撮影位置にて被検体に関するＸ線画像を撮影し、撮影された複数の投影データを収集可能なＸ線画像撮影装置を含むことを特徴とする請求項１に記載の検査／処置情報記録システム。
【請求項５】
検査の様子を室内の全体の映像として取得可能な第１の取得手段と、前記検査室内の術者の術中の手元映像を取得可能な第２の取得手段と、前記術者の術中の音声情報を取得可能な音声情報取得手段と、前記術者により検査される被検体に関する画像を収集して画像診断を行うための医用画像診断装置とが配設された検査室を複数備え、
各検査室の各前記第１の取得手段、各前記第２の取得手段、各前記音声情報取得手段、および各前記医用画像診断装置と各々通信可能に形成され、術中に前記第１の取得手段にて取得された映像情報、前記術中に前記第２の取得手段にて取得された映像情報、前記術中に前記医用画像診断装置にて撮像されて全ての各診断画像情報、前記術中に前記音声情報取得手段にて取得された音声情報を合成した合成情報ファイルを、取得されたタイミングでの各時間情報に基づいて前記各検査室毎に各々作成可能な情報処理装置と、
前記情報処理装置と通信可能に形成され、作成された合成情報ファイルの各情報を、少なくとも１つの表示画面を分割した各表示領域に、各々対応するように連動させ、前記合成情報ファイルを各検査室毎に表示可能な情報端末と、
を含むことを特徴とする検査／処置情報記録システム。
【請求項６】
前記情報端末と通信可能に形成され、前記検査ないしは処置に関するレポートを作成するレポート作成装置を有し、
前記情報端末は、前記合成情報ファイルにて表示される情報の内容を前記レポート作成装置からのレポート情報に反映可能に構成されることを特徴とする請求項５に記載の検査／処置情報記録システム。
【請求項７】
前記情報処理装置と通信可能に形成され、前記情報処理装置からの前記合成情報ファイルを保存記録する記録媒体を有し、
前記情報処理装置は、前記情報端末からのアクセス要求に応じて前記合成情報ファイルを前記記録媒体から呼び出して前記情報端末に対して転送することを特徴とする請求項５又は請求項６に記載の検査／処置情報記録システム。
【請求項８】
検査の様子を室内の全体の映像として取得可能な第１の取得手段と、
前記検査室内の術者の術中の手元映像を取得可能な第２の取得手段と、
前記術者の術中の音声情報を取得可能な音声情報取得手段と、前記術者により検査される被検体に関する画像を収集して画像診断を行うための医用画像診断装置と、
前記第１の映像取得手段、前記第２の映像取得手段、前記音声情報取得手段、および前記医用画像診断装置と通信可能に形成され、術中に前記第１の映像取得手段にて取得された映像情報、前記術中に前記第２の映像取得手段にて取得された映像情報、前記術中に前記医用画像診断装置にて撮像されて全ての各診断画像情報、前記術中に前記音声情報取得手段にて取得された音声情報を合成した合成情報ファイルを、取得されたタイミングでの各時間情報に基づいて作成する検査／処置情報記録装置と、が配設された検査室を複数備え、
各検査室の各検査／処置情報記録装置と通信可能に形成され、各検査／処置情報記録装置からの各合成情報ファイルを保管する医用画像保管装置と、
前記医用画像保管装置と通信可能に形成され、作成された各合成情報ファイルの各情報を、少なくとも１つの表示画面を分割した各表示領域に、各々対応するように連動させ、前記合成情報ファイルを各検査室毎に表示可能な情報端末と、
を含むことを特徴とする検査／処置情報記録システム。
【請求項９】
各前記医用画像診断装置は、Ｘ線画像撮影装置、ＣＴ像撮影装置、核医学診断装置、超音波診断装置、磁気共鳴映像装置、放射線治療装置のいずれか又は全てであることとを特徴とする請求項５乃至請求項８のいずれか一項に記載の検査／処置検査情報記録システム。
【請求項１０】
検査室内における検査の様子を室内の全体の映像として取得可能な第１の取得手段、前記検査室内の術者の術中の手元映像を取得可能な第２の取得手段、前記術者の術中の音声情報を取得可能な音声情報取得手段、および、前記術者により検査される被検体に関する画像を収集して画像診断を行うための医用画像診断装置と通信可能に形成された情報処理装置であって、
術中に前記第１の取得手段にて取得された映像情報、前記術中に前記第２の取得手段にて取得された映像情報、前記術中に前記医用画像診断装置にて撮像されて全ての各診断画像情報、前記術中に前記音声情報取得手段にて取得された音声情報を合成した合成情報ファイルを、取得されたタイミングでの各時間情報に基づいて作成する合成情報ファイル作成手段と、
作成された合成情報ファイルの各情報を、少なくとも１つの表示画面を分割した各表示領域に、各々対応するように連動して表示するように表示制御する表示制御手段と、
を含むことを特徴とする情報処理装置。
【請求項１１】
前記合成情報ファイル作成手段は、
各前記映像情報、各前記診断画像情報、前記音声情報が各々取得されたタイミングでの時間情報に基づいて、時間順にどの情報を呼び出すのかその手順を記述してなり、各前記映像情報、各前記診断画像情報、前記音声情報を関連付けした関連情報を作成することを特徴とする請求項１０に記載の情報処理装置。
【請求項１２】
検査室内における検査の様子を室内の全体の映像として取得可能な第１の取得手段、前記検査室内の術者の術中の手元映像を取得可能な第２の取得手段、前記術者の術中の音声情報を取得可能な音声情報取得手段、および、前記術者により検査される被検体に関する画像を収集して画像診断を行うための医用画像診断装置と通信可能に形成された情報処理装置に対してアクセス可能な情報端末であって、
術中に前記第１の取得手段にて取得された映像情報、前記術中に前記第２の取得手段にて取得された映像情報、前記術中に前記医用画像診断装置にて撮像されて全ての各診断画像情報、前記術中に前記音声情報取得手段にて取得された音声情報を、取得されたタイミングでの各時間情報に基づいて前記情報処理装置において合成された合成情報ファイルの各情報を、少なくとも１つの表示画面を分割した各表示領域に、各々対応するように連動した表示がなされる表示制御手段を有することを特徴とする情報端末。
【請求項１３】
検査室内における検査の様子を室内の全体の映像として取得可能な第１の取得手段、前記検査室内の術者の術中の手元映像を取得可能な第２の取得手段、前記術者の術中の音声情報を取得可能な音声情報取得手段、および、前記術者により検査される被検体に関する画像を収集して画像診断を行うための医用画像診断装置からの各情報を取得して情報処理を行なうプログラムを記録した情報記録媒体であって、
術中に前記第１の取得手段にて取得された映像情報、前記術中に前記第２の取得手段にて取得された映像情報、前記術中に前記医用画像診断装置にて撮像されて全ての各診断画像情報、前記術中に前記音声情報取得手段にて取得された音声情報を合成した合成情報ファイルを、取得されたタイミングでの各時間情報に基づいて作成する処理を行なう情報と、
作成された合成情報ファイルの各情報を、少なくとも１つの表示画面を分割した各表示領域に、各々対応するように連動して表示させる処理を行なうための情報と、
を含むことを特徴とする情報記録媒体。
【発明の詳細な説明】
【０００１】
【発明の属する技術分野】
本発明は、検査／処置情報記録システム、情報処理装置、情報端末及び情報記録媒体に関し、特に、病院の検査室、手術室内のＸ線診断装置を使用した検査、ないしは処置における状況を把握する技術に関する。
【０００２】
【従来の技術】
従来、検査や処置中の状況を把握するために、一般的に市販されている家庭用のビデオカメラ等を前記検査を行う検査室や手術室に設置しておき、当該ビデオカメラを利用して前記検査ないしは処置の様子を撮影することが行われている。この際、音声なども同時に記録することもできる。
【０００３】
前記検査ないしは処置を終了した後においては、技師や医師は、これら撮影による取得された撮影像や音声などの記録を参考にして、前記検査や手術に関するレポートを作成することを行なう。
【０００４】
【発明が解決しようとする課題】
しかしながら、従来のビデオカメラにより前記検査や処置などの状況を撮影する手法では、取得される情報が画像や音声のみであるために、前記術後においてレポートを作成する際に、手技などの細部を確認することができなかった。
【０００５】
特に、前記検査や処置などにおいて、室内に設置される医用画像診断装置、例えばＸ線撮影装置などを利用して被検体に関する画像を収集撮影したような場合には、前記レポート作成の際に再生して見返すと、前記ビデオカメラの映像を見ただけでは、室内において検査や処置などに携わるメンバー個々に役割があることに起因して検査や処置後にそれぞれの操作を関連付けて思い出すことは非常に困難であるため、前記医用画像診断装置の収集画像が検査の流れの中で如何なる状況の時に撮影したものであるのか、前記収集画像と検査との関連性について容易に把握することができず、検査・処置後の患者への説明、レポート作成、レビューでも細部を説明・確認することは困難であった。
【０００６】
本発明は、上記事情に鑑みてなされたものであり、その目的とするところは、検査ないしは処置における細部まで記録に残して検査後に確認したり説明を行うことの可能な検査／処置情報記録システム、情報処理装置、情報端末、及び情報記録媒体を提供することにある。
【０００７】
【課題を解決するための手段】
上記目的を達成するために、請求項１に記載の発明は、室内における検査ないしは処置の様子を当該室内の全体の映像として取得可能な第１の映像取得手段と、前記室内の術者の術中の手元映像を取得可能な第２の映像取得手段と、前記術者の術中の音声情報を取得可能な音声情報取得手段と、前記術者により検査される被検体に関する画像を収集して画像診断を行うための医用画像診断装置と、前記第１の映像取得手段、前記第２の映像取得手段、前記音声情報取得手段、および前記医用画像診断装置と通信可能に形成され、術中に前記第１の映像取得手段にて取得された映像情報、前記術中に前記第２の映像取得手段にて取得された映像情報、前記術中に前記医用画像診断装置にて撮像されて全ての各診断画像情報、前記術中に前記音声情報取得手段にて取得された音声情報を、取得されたタイミングでの各時間情報に基づいて関連付けする情報処理装置と、前記情報処理装置と通信可能に形成され、関連付けされた各情報を、少なくとも１つの表示画面を分割した各表示領域に、各々対応するように連動して表示される情報端末と、を含むことを特徴としている。
【０００８】
また、請求項５に記載の発明は、検査の様子を室内の全体の映像として取得可能な第１の取得手段と、前記検査室内の術者の術中の手元映像を取得可能な第２の取得手段と、前記術者の術中の音声情報を取得可能な音声情報取得手段と、前記術者により検査される被検体に関する画像を収集して画像診断を行うための医用画像診断装置とが配設された検査室を複数備え、各検査室の各前記第１の取得手段、各前記第２の取得手段、各前記音声情報取得手段、および各前記医用画像診断装置と各々通信可能に形成され、術中に前記第１の取得手段にて取得された映像情報、前記術中に前記第２の取得手段にて取得された映像情報、前記術中に前記医用画像診断装置にて撮像されて全ての各診断画像情報、前記術中に前記音声情報取得手段にて取得された音声情報を合成した合成情報ファイルを、取得されたタイミングでの各時間情報に基づいて前記各検査室毎に各々作成可能な情報処理装置と、前記情報処理装置と通信可能に形成され、作成された合成情報ファイルの各情報を、少なくとも１つの表示画面を分割した各表示領域に、各々対応するように連動させ、前記合成情報ファイルを各検査室毎に表示可能な情報端末と、を含むことを特徴としている。
【０００９】
また、請求項８に記載の発明は、検査の様子を室内の全体の映像として取得可能な第１の取得手段と、前記検査室内の術者の術中の手元映像を取得可能な第２の取得手段と、前記術者の術中の音声情報を取得可能な音声情報取得手段と、前記術者により検査される被検体に関する画像を収集して画像診断を行うための医用画像診断装置と、前記第１の映像取得手段、前記第２の映像取得手段、前記音声情報取得手段、および前記医用画像診断装置と通信可能に形成され、術中に前記第１の映像取得手段にて取得された映像情報、前記術中に前記第２の映像取得手段にて取得された映像情報、前記術中に前記医用画像診断装置にて撮像されて全ての各診断画像情報、前記術中に前記音声情報取得手段にて取得された音声情報を合成した合成情報ファイルを、取得されたタイミングでの各時間情報に基づいて作成する検査／処置情報記録装置と、が配設された検査室を複数備え、各検査室の各検査／処置情報記録装置と通信可能に形成され、各検査／処置情報記録装置からの各合成情報ファイルを保管する医用画像保管装置と、前記医用画像保管装置と通信可能に形成され、作成された各合成情報ファイルの各情報を、少なくとも１つの表示画面を分割した各表示領域に、各々対応するように連動させ、前記合成情報ファイルを各検査室毎に表示可能な情報端末と、を含むことを特徴としている。
【００１０】
また、請求項１０に記載の発明は、検査室内における検査の様子を室内の全体の映像として取得可能な第１の取得手段、前記検査室内の術者の術中の手元映像を取得可能な第２の取得手段、前記術者の術中の音声情報を取得可能な音声情報取得手段、および、前記術者により検査される被検体に関する画像を収集して画像診断を行うための医用画像診断装置と通信可能に形成された情報処理装置であって、術中に前記第１の取得手段にて取得された映像情報、前記術中に前記第２の取得手段にて取得された映像情報、前記術中に前記医用画像診断装置にて撮像されて全ての各診断画像情報、前記術中に前記音声情報取得手段にて取得された音声情報を合成した合成情報ファイルを、取得されたタイミングでの各時間情報に基づいて作成する合成情報ファイル作成手段と、作成された合成情報ファイルの各情報を、少なくとも１つの表示画面を分割した各表示領域に、各々対応するように連動して表示するように表示制御する表示制御手段と、を含むことを特徴としている。
【００１１】
また、請求項１２に記載の発明は、検査室内における検査の様子を室内の全体の映像として取得可能な第１の取得手段、前記検査室内の術者の術中の手元映像を取得可能な第２の取得手段、前記術者の術中の音声情報を取得可能な音声情報取得手段、および、前記術者により検査される被検体に関する画像を収集して画像診断を行うための医用画像診断装置と通信可能に形成された情報処理装置に対してアクセス可能な情報端末であって、術中に前記第１の取得手段にて取得された映像情報、前記術中に前記第２の取得手段にて取得された映像情報、前記術中に前記医用画像診断装置にて撮像されて全ての各診断画像情報、前記術中に前記音声情報取得手段にて取得された音声情報を、取得されたタイミングでの各時間情報に基づいて前記情報処理装置において合成された合成情報ファイルの各情報を、少なくとも１つの表示画面を分割した各表示領域に、各々対応するように連動した表示がなされる表示制御手段を有することを特徴としている。
【００１２】
また、請求項１３に記載の発明は、検査室内における検査の様子を室内の全体の映像として取得可能な第１の取得手段、前記検査室内の術者の術中の手元映像を取得可能な第２の取得手段、前記術者の術中の音声情報を取得可能な音声情報取得手段、および、前記術者により検査される被検体に関する画像を収集して画像診断を行うための医用画像診断装置からの各情報を取得して情報処理を行なうプログラムを記録した情報記録媒体であって、術中に前記第１の取得手段にて取得された映像情報、前記術中に前記第２の取得手段にて取得された映像情報、前記術中に前記医用画像診断装置にて撮像されて全ての各診断画像情報、前記術中に前記音声情報取得手段にて取得された音声情報を合成した合成情報ファイルを、取得されたタイミングでの各時間情報に基づいて作成する処理を行なう情報と、作成された合成情報ファイルの各情報を、少なくとも１つの表示画面を分割した各表示領域に、各々対応するように連動して表示させる処理を行なうための情報と、を含むことを特徴としている。
【００１３】
【発明の実施の形態】
以下、本発明の好適な実施の形態の一例について、図面を参照して具体的に説明する。
【００１４】
［第１の実施の形態］
（システムの全体構成）
先ず、本発明の検査／処置情報記録システムの全体の概略構成について、図１を参照して説明する。図１は、本実施の形態の検査／処置情報記録システムの全体の概略構成を示す説明図である。
【００１５】
本実施の形態の検査／処置情報記録システム１は、図１に示すように、室内映像を取得可能な第１の映像取得手段である第１のデジタルカメラ２と、術者の手元映像を取得可能な第２の映像取得手段である第２のデジタルカメラ３と、術中の音声情報を取得可能な音声情報取得手段であるマイク４と、被検体に関する画像を取得して画像診断可能な医用画像診断装置の一例であるＸ線診断装置５と、これら第１、第２のデジタルカメラ２・３およびマイク４並びにＸ線診断装置５からの映像、音声情報を合成処理する検査／処置情報記録装置１０（情報処理装置）と、前記検査／処置情報記録装置１０にて合成された情報を記録する記録媒体１７と、前記記録媒体１７の情報を前記検査／処置情報記録装置１０を介して読み出し、前記情報を参照するための参照端末（情報端末）である観察モニタ１８と、が各々通信可能に構成されている。
【００１６】
なお、これら各部間を通信可能に形成するためのネットワークは、情報の授受が可能であれば、有線、無線を問わない。前記ネットワークとしては、例えばインターネット（乃ち主としてＴＣＰ／ＩＰプロトコルを用いた通信態様）であることが好ましいが、特定区域のＬＡＮやＷＡＮ等であってもよく、これらのネットワークに携帯電話回線網（基地局及び交換システムを含む）、公衆電話回線網、ブロードバンド対応可能な専用回線、ケーブルＴＶなどの各種回線、無線（衛星通信等を含む）ネットワーク等を含んでいてよく、また、他の種々の通信プロトコルを用いたネットワークであっても構わず、他の種々のネットワークと接続されたシステムであってもよい。
【００１７】
第１のデジタルカメラ２、第２のデジタルカメラ３は、動画を撮像することの可能な装置であることが前提となる。なお、デジタルでない場合であってもよく、この際、デジタル画像で連動処理を行う前処理においてＡ／Ｄコンバータを介して構成すればよい。
【００１８】
医用画像診断装置の一例ではＸ線診断装置５は、例えば支持器（例えばＣアーム等）、該支持器の一端に備えられたＸ線発生源としてのＸ線管球、他端に備えられているＸ線検出器としてのイメージ・インテンシファイア（Ｉ．Ｉ．（Ｉｍａｇｅ　Ｉｎｔｅｎｓｉｆｉｅｒ）、また、被検体を静穏に載置するための天板及び寝台、そして収集された投影データを処理する画像処理装置、等からなるＸ線画像撮影装置とするの好ましい。このようなＸ線画像撮影装置によれば、被検体中へのカテーテルの挿入作業等その他の医師による手術ないし検査と併せ、これに並行したＸ線撮影を行うこと等を可能である。
【００１９】
なお、医用画像診断装置としては、Ｘ線診断装置に限らず、例えば、ＩＶＲ−ＣＴ装置、Ｘ線ＣＴ装置、ＳＰＥＣＴ装置、ＰＥＴ装置、ＭＲＩ装置、超音波診断装置、等の各種の医用画像診断装置であってよい。
【００２０】
検査／処置情報記録装置（情報処理装置）１０は、例えばサーバー等の情報処理装置にて形成され、画像データベース等を含んだ構成としてもよい。
【００２１】
この検査／処置情報記録装置１０は、図示しないが、観察モニタ１８側にメニュー画面等の各種画面が表示されるように促す例えばＣＧＩプログラム等により形成された表示処理手段、観察モニタ１８との間で例えばユーザー情報などの各種データの送受信を行う送受信手段、システム管理者用の表示手段及び操作入力手段、各種制御プログラム、サービス実行プログラムなどを記憶しておく記憶手段、などを含んで構成される。これらの各手段の構成は、種々のハードウエア及びソフトウエアによって実現できるよう構成される。
【００２２】
ハードウエア構成の具体例としては、図示しないが、通信機能の制御を行う通信用インターフェース、ハードディスク等の記憶装置、端末からのデータ入出力を行う入出力インターフェース、及びそれらの制御を司る中央演算処理装置（ＣＰＵ）等が挙げられる。
【００２３】
また、ソフトウエアとしては、このグラフィカルユーザインターフェースを実現するための、標準ウェブページオーサリングツールおよびＨＴＭＬ、ＸＭＬ、ＣＧＩ、Ｊａｖａ（Ｒ）、Ｊａｖａ（Ｒ）ｓｃｒｉｐｔ、ＡｃｔｉｖｅＸ等の言語を用いてプログラムされている。
【００２４】
さらに、「検査／処置情報記録装置１０」には、通常のサーバーのみならず、データベース、電子メールを送受信するためのＰＯＰ及びＳＭＴＰサーバーやその他ＤＮＳサーバーなどの各種サーバーを含んで構成され、これらを含むシステムの総称として機能してもよい。
【００２５】
なお、検査／処置情報記録装置１０は、デスクトップ、ラップトップコンピュータその他無線・有線通信機能を有する情報機器、またはこれに類するコンピュータなどいかなるコンピュータでもよく、移動式・固定式を問わない。
【００２６】
そして、検査／処置情報記録装置１０は、デジタルカメラ２、デジタルカメラ３、マイク４、およびＸ線診断装置５と通信可能に形成され、術中に前記デジタルカメラ２にて取得された映像情報、前記術中に前記デジタルカメラ３にて取得された映像情報、前記術中に前記Ｘ線診断装置５にて撮像されて全ての各診断画像情報、前記術中に前記マイク４にて取得された音声情報を合成した合成情報ファイルを、取得されたタイミングでの各時間情報に基づいて作成する合成情報ファイル作成手段を含んで構成される。この合成情報ファイル作成手段は、各前記映像情報、各前記診断画像情報、前記音声情報が各々取得されたタイミングでの時間情報に基づいて、時間順にどの情報を呼び出すのかその手順を記述してなり、各前記映像情報、各前記診断画像情報、前記音声情報を関連付けした関連情報を作成する。
【００２７】
また、検査／処置情報記録装置１０は、観察モニタ１８からのアクセス要求に応じて前記合成情報ファイルを記録媒体１７から呼び出して観察モニタ１８に対して転送する。
【００２８】
記録媒体１７は、前記合成情報ファイルを保存記録するものであり、例えば検査／処置情報記録装置１０に接続される各種リムーバブルメディアであってもよいし、検査／処置情報記録装置１０に内蔵されるハードディスクなどであってもよい。
【００２９】
観察モニタ（情報端末）１８は、来客者が利用又は所有しているものであり、ネットワーク関連の機能を有していれば、携帯電話端末・パームコンピュータ・ＰＤＡ、デスクトップ、ラップトップコンピュータ、モバイル、ページャその他無線・有線通信機能を有する情報機器、またはこれに類するコンピュータなどいかなるコンピュータでもよく、移動式・固定式を問わない。
【００３０】
なお、観察モニタ１８は、図示しないが、種々の画像情報等を表示するための表示手段（スクリーン）、この表示手段の表示画面上にデータを入力するための操作入力手段、データを送受信するための送受信手段、各種データを記憶するための記憶手段（メモリ）、これらの制御を司る制御手段などを有している。これらの各手段の構成は、種々のハードウエア及びソフトウエアによって実現できるよう構成される。
【００３１】
なお、観察モニタ１８は、ビューワ（ＰＣのモニター）、記録媒体１７は、ＰＣでもディスク（ＣＤ、ＤＶＤ、ＭＯ等）でもよい。
【００３２】
また、観察モニタ１８は、例えば検査／処置情報記録装置１０と通信可能に形成され、作成された合成情報ファイルの各情報を、少なくとも１つの表示画面を分割した各表示領域に、各々対応するように連動して表示するように制御する表示制御手段を含んで構成される。
【００３３】
第１のデジタルカメラ２、第２のデジタルカメラ３、Ｘ線診断装置５、マイク４は、各々検査室に設置され、観察モニタ１８は操作室などに設置される。ここで、検査室に医師がおり、操作室には観察モニタ１８が設置され、技師がいてその検査をサポートする。そして、医者が見る画面モニターは、通常、Ｘ線診断装置５の中に含まれており、検査室の外の観察モニタ１８と中のＸ線診断装置５のモニターとでは、同じ診断画像を参照することができる。
【００３４】
本実施の形態においては、１つの検査室の中に全体を映すようなデジタルカメラ２、手元を映すようなデジタルカメラ３が設置されている。なお、本実施の形態においては、１つの検査室の場合を例に説明しているが、複数の検査室からの情報を同時に収集できるようにしてもよい。
【００３５】
また、デジタルカメラ３は、術者の頭部に設置する場合であってもよいが、これに限らず、この他、各部に設置するようにしてもよい。例えば、Ｘ線診断装置に近接して専用の機構を設けて、当該機構にデジタルカメラ３を設けて撮影の自由度を増やすようにしてもよい。
【００３６】
上述のような構成を有する検査／処置情報記録システム１では、患者に対して動脈を使ってカテーテルを挿入するような手技において、検査／処置室の一隅に室内全体を映せるように設置されたデジタルカメラ２による室内の映像を収集する。また、それと同時に、術者の頭部に設置された小型のデジタルカメラ３により手元映像を収集する。
【００３７】
さらに、術者の頭部に設置された小型のマイク４により、検査／処置中の音声を収集する。また、Ｘ線診断装置５でデジタル画像を収集するとともに、タイムコードを発行する。そして、以上のように収集された、室内映像、術者手元映像、音声情報、デジタル画像、タイムコード等の情報を検査／処置情報記録装置１０に各々入力する。
【００３８】
検査／処置情報記録装置１０内では、第１のデジタルカメラ２、第２のデジタルカメラ３、Ｘ線診断装置５によるデジタル画像を、内部のイメージメモリ上で合成し、その画像に音声情報、タイムコードを付加した情報をリアルタイムで記録媒体１７に記録する。
【００３９】
この際、Ｘ線診断装置５によるデジタル画像の収集時には、マーキング情報を付加し、収集した画像でサーチができるようにしておく。
【００４０】
観察モニタ１８での情報表示時には、第１のデジタルカメラ２の室内映像、第２のデジタルカメラ３の術者手元映像、マイク４による音声情報、Ｘ線診断装置５によるデジタル画像、タイムコードの情報を関連付けて表示する。なお、観察モニタ１８の表示画面上に表示される操作ボタンには、正／逆方向の再生ボタン、早送りボタン、最も近い撮影像の検査ボタン、そして停止ボタンが含まれる（図３参照）。
【００４１】
（表示画面）
図３は、観察モニタ１５の表示画面上に表示される表示態様の一例を示す説明図である。同図に示すように、表示画面２０においては、前記第１のデジラルカメラ２からの室内映像２１、前記第２のデジタルカメラ３からの術者手元映像２２、前記Ｘ線診断装置５からの収集画像が連動されて表示される。さらに加えて、表示画面２０においては、患者情報や検査情報等、また、各種操作を行うための操作ボタン（表示操作部）などが表示可能に形成された表示部２４を有する。
【００４２】
このように、前記情報は、観察モニタ１８（参照端末であるビューア）により操作室で技師などが閲覧可能となっており、操作ボタンから様々な画像の閲覧、選択を行うことができる。この際、タイムコードなどの情報がキーとなり、室内映像、術者手元映像は連続的に流れて連動して表示される。また、検査中は、常時モニターしており、なおかつ、Ｘ線診断装置５からの診断画像も連像して表示される。
【００４３】
また、表示画面内の再生・早送りボタンは１つ形成され、室内映像、術者手元映像、収集画像の連動表示を一度に早送りすることができる。この際、画像１個１個に収集されていた時のタイムコード（マーキング情報＝タイムコード情報）が入っているために、それによって画像の識別を行う。
【００４４】
このように、Ｘ線診断装置の撮影画像をタイムコードを使って室内映像および術者手元映像と連動させることにより、手技の記録の詳細、ならびに診断画像と術者手元画像などとの関連付けを容易に把握することができる。
【００４５】
（本実施の形態の特徴的構成）
ここで、本実施の形態の特徴、すなわち、前記連動処理を前記観察モニタから参照可能とするための検査／処置情報記録装置１０内部において処理されるソフトウエアモジュール構成について図２を参照しつつ説明する。
【００４６】
検査／処置情報記録装置１０の内部においては、前記室内映像、手元映像、術中音声情報などに基づいて、第１の動画像ファイル、第２の動画像ファイル、各診断画像ファイル、音声情報ファイルなどの各ファイルを各々生成する処理１１と、生成された各ファイルをタイムコードに基づいて合成する合成処理１２と、合成された合成情報ファイルを記録媒体１７に書き込む書込処理１３からなる記録保存処理が行われる。
【００４７】
ここで、前記合成処理１２では、タイムコードなどの時間情報をもとに各ファイルが関連付けされて合成されることとなるが、より詳細には、図４に示されるようなタイミングで合成されることが好ましい。
【００４８】
すなわち、第１の動画像ファイルは、室内映像に関する情報を格納した画像データ部と、前記室内映像の撮影を開始した第１撮影開始時刻ならびに撮影を終了した第１撮影終了時刻などの付帯情報を格納したヘッダ部と、を有し、前記第１の動画像ファイルを開いて呼び出すと、第１撮影開始時刻に対応する画像の画像表示を開始して、前記第１撮影終了時刻に対応する画像に至るまで前記室内映像を動画像表示する。
【００４９】
同様にして、第２の動画像ファイルは、手元映像に関する情報を格納した画像データ部と、前記手元映像の撮影を開始した第２撮影開始時刻ならびに撮影を終了した第２撮影終了時刻などの付帯情報を格納したヘッダ部と、を有し、前記第２の動画像ファイルを開いて呼び出すと、第２撮影開始時刻に対応する画像の画像表示を開始して、前記第２撮影終了時刻に対応する画像に至るまで前記手元映像を動画像表示する。
【００５０】
この際、室内映像ないしは術者手元画像は、ファイルとして保存した場合には、ＭＰＥＧなどの動画像ファイルとして保存されることとなる。
【００５１】
また、音声情報ファイルは、術中音声に関する情報を格納した音声データ部と、前記術中音声の録音を開始した第３開始時刻ならびに録音を終了した第３終了時刻などの付帯情報を格納したヘッダ部と、を有し、前記音声情報ファイルを開いて呼び出すと、第３開始時刻に対応する音声の再生を開始して、前記第３終了時刻に対応する音声に至るまで前記術中音声を再生する。
【００５２】
さらに、術中などにおいて、例えば診断画像が４枚撮影されたとすると、診断画像ファイル０１、０２、０３、０４が各々作成される。
【００５３】
例えば診断画像ファイル０１は、図５に示すように、診断画像に関する情報を格納した画像データＤＴと、前記診断画像の撮影を行った撮影時刻などの画像付帯情報ＡＴと、を有し、前記診断画像ファイル０１を開いて呼び出すと、前記診断画像の画像表示を行う。
【００５４】
ここで、図４に示すように、診断画像ファイル０１において収集画像１が撮影された時刻（時間１）をＴ１、診断画像ファイル０２において収集画像２が撮影された時刻（時間２）をＴ２、診断画像ファイル０３において収集画像３が撮影された時刻（時間３）をＴ３、診断画像ファイル０４が収集画像４を撮影した時刻（時間４）をＴ４とする。
【００５５】
このような各ファイルが各々形成された場合において、合成情報ファイルを作成するための実行プログラムは以下に示すような手法で合成処理を行う。
【００５６】
すなわち、先ず、各ファイルを時間情報を抽出し、時間順を決定する。具体的には、第１の動画像ファイルの第１撮影開始時刻、第２の動画像ファイルの第２撮影開始時刻、音声情報ファイルの第３開始時刻、診断画像ファイル０１の時刻Ｔ１、診断画像ファイル０２の時刻Ｔ２、診断画像ファイル０３の時刻Ｔ３、診断画像ファイルの時刻Ｔ４を各々抽出する。
【００５７】
ところで、この際、第１撮影開始時刻、第２撮影開始時刻、第３開始時刻は、ほぼ同様であることが多いため（第１のデジタルカメラ、第２のデジタルカメラ、マイクの録画ないしは録音開始ボタン等は検査開始直前などにほぼ同時に押下されることが多いため）、同一の撮影開始時刻ＴＳとみなしてもさしつかえ差し障りない。
【００５８】
このため、各時間情報を抽出した後に時間順を規定する場合には、図４の例では、撮影開始時刻ＴＳの第１の動画像ファイル・第２の動画像ファイル・音声情報ファイル、時刻Ｔ１の診断画像ファイル０１、時刻Ｔ２の診断画像ファイル０２、時刻Ｔ３の診断画像ファイル０３、時刻Ｔ４の診断画像ファイル０４の順に順番が規定されることとなる。
【００５９】
なお、厳密には、第１の動画像ファイル・第２の動画像ファイル・音声情報ファイルの各撮影開始時間が異なる場合もあり得るので、そのような場合には、同様にして時間順を決めればよい。ここでは、簡単のため同じであるとみなして説明する。
【００６０】
これによって、再生時に各ファイルをどのような順番で呼び出せばよいのかが決定される。
【００６１】
このようにして順番が規定されると、例えば第１の動画像ファイルを呼び出した後に、どのタイミングで診断画像ファイル０１を呼び出せばよいのかを決めるために、例えばＴ１―ＴＳを算出する。同様にして、Ｔ２―ＴＳ、Ｔ３―ＴＳ、Ｔ４―ＴＳを各々算出する。
【００６２】
これにより、再生時には、第１の動画像ファイルが呼び出されてからＴ１―ＴＳ時間後に診断画像ファイル０１を呼び出し、Ｔ２―ＴＳ時間後に診断画像ファイル０２を呼び出し、Ｔ３―ＴＳ時間後に診断画像ファイル０３を呼び出し、Ｔ４―ＴＳ時間後に診断画像ファイル０４を呼び出すことにより、実際に検査室等で行われたのと同一の時間順にて再生画像による再現を行うことができる。
【００６３】
そして、このようなファイルを呼び出して開くための手順、合成情報ファイルを開くコマンドが要求されると、先ず最初に第１の動画像ファイル、第２の動画像ファイル、音声情報ファイルをほぼ同時に呼び出し、第１の動画像ファイルが呼び出されてからＴ１―ＴＳ時間後に診断画像ファイル０１を呼び出し、Ｔ２―ＴＳ時間後に診断画像ファイル０２を呼び出し、Ｔ３―ＴＳ時間後に診断画像ファイル０３を呼び出し、Ｔ４―ＴＳ時間後に診断画像ファイル０４を呼び出すことを記述したプログラムを作成する。このプログラムは関連情報として合成情報ファイルのヘッダ部などの管理領域に格納しておくことが好ましい。
【００６４】
このようにして前記関連情報とともに各ファイルが合成処理１２され、前記関連情報を含む前記合成情報ファイルが作成される。なお、前記関連情報には、第１の動画像ファイルを表示画面の所定の箇所に所定の大きさの第１表示領域に、第２の動画像ファイルを表示画面の所定の箇所に所定の大きさの第２表示領域に、診断画像ファイルを表示画面の所定の箇所に所定の大きさの第３表示領域に、各々表示するように規定した情報なども予め記述されるようにしておくことが好ましい。
【００６５】
以上のようにして作成された合成情報ファイルは、図２に示すように、書込処理１３によって、記録媒体１７の所定の記録領域に合成情報ファイル１７ａとして記録されることとなる。言わずもがな、いま述べたように、合成情報ファイル１７ａには、前記関連情報やタイムコードなどに時間情報とともに、第１の動画像ファイルからの室内映像情報、第２の動画像ファイルからの手元映像情報、音声情報ファイルからの術中音声情報、各診断画像ファイルからの各収集画像情報などが保有されている。
【００６６】
一方、前記のようにして記録保存処理により記録媒体に記録された複数の合成情報ファイルを、観察モニタ１８から参照する場合に必要となるソフトウエア構成として、検査／処置情報記録装置１０の内部においては、指定された合成情報ファイルを読み出す読出処理１５と、読み出された合成情報ファイルを観察モニタ１８に対して表示するように処理する再生表示処理１６とからなる再生処理が行われる。
【００６７】
再生表示処理１６においては、指定された合成情報ファイルの前記関連情報に基づいて、どのタイミングでどの情報をどの表示領域に表示すればよいのか等の情報が把握されることとなるから、このような情報によって観察モニタ１８に図３に示すようなレイアウトの画面を表示することが可能となる。
【００６８】
なお、観察モニタ１８においては、合成情報ファイルを開くことを要求するコマンド（読出要求）を実行する前段階において、予め複数の合成情報ファイルの中から患者情報や検査情報などをキーとして特定の合成情報ファイルを検索、抽出する処理が行われることはもちろんである。
【００６９】
このように、再生する場合に、動画像ファイルを開くと、当該映像は撮影開始時点から表示が再生されることとなる。この際、室内映像の第１の画像ファイル、術者手元映像の第２の画像ファイル、収集画像の第３の画像ファイルとの関連付けは、例えば、患者ＩＤなどによるファイル名を共通化することによって関連付けることもできるし、ファイルのヘッダなどに患者ＩＤ等を埋め込んでおいてもよい。
【００７０】
あるいは、第１の画像ファイル、第２の画像ファイル、第３の画像ファイルは１セットで保存されるようにしてもよい。
【００７１】
いずれにしても、再生して連動表示を行なうと、室内映像等は連続的に映し出されている一方、収集画像は断続的に撮像された収集画像が表示されることとなる。
【００７２】
（処理手順について）
次に、上述のような構成を有するシステムの処理手順について、図３を参照しつつ説明する。
【００７３】
先ず、デジタルカメラにより室内映像情報を収集取得し、第１の動画像ファイルを生成する（ステップ、以下「Ｓ」１０１）。同時に、デジタルカメラにより手元映像情報を収集取得し、第２の動画像ファイルを生成する（Ｓ１０２）。さらには、マイクにより術中音声情報を収集取得し、音声情報ファイルを生成する（Ｓ１０３）。
【００７４】
術中にＸ線診断装置により撮像された全ての各診断画像を収集取得し、各々の診断画像ファイルを生成する（Ｓ１０４）。
【００７５】
ここで、装置使用者は、Ｘ線診断装置５によって、被検体Ｐに関する何らかの画像データを取得する。この画像データとしては、例えば単なる１枚の断層像から、上述した動画像たるＣＴ透視画像に至るまで、種々のもの（画像種別）を想定し得る。また、この画像データは、複数の被検体Ｐ各々に関する１枚１枚の画像、あるいは一の被検体Ｐに関し複数枚取得された画像等として、一般に復数存在し、かつ、これら復数の画像データの各々には、これらを識別するためのファイル名等が付され、「（診断）画像ファイル」として検査処置情報記録装置１０に記憶されることになる。
【００７６】
なお、図５においては、当該（診断）画像ファイルの構成の一例を示す。この図において、画像ファイルは、上記した画像データＤＴと画像付随情報（付帯情報）ＡＴとから構成されている。ここに画像付随情報ＡＴとは、例えば上記ファイル名や画像が取得されたあるいは保存作成された時間情報等が該当し、図においてはそれが先頭に付されていることが示されている。また、この画像付随情報ＡＴとしては、被検体Ｐの名前に関する情報・時間情報をも含ませることが可能である。さらにこの他、上述したような画像データの識別可能性を確保し得る情報（例えば撮影開始時刻や撮影終了時刻等）であれば、基本的にどのようなものであっても、画像付随情報ＡＴとして書き込むことが可能である。要するに、図５に示す画像付随情報ＡＴとは、前記識別情報となり得る情報の集合体とみなし得る。
【００７７】
次に、各ファイルの各時間情報を取得する（Ｓ１０５）。そして、第１の動画像ファイルに付帯する付帯情報に含まれる、前記取得されたタイミングにおける時間情報、前記第２の動画像ファイルに付帯する付帯情報に含まれる、前記取得されたタイミングにおける時間情報、前記音声情報ファイルに付帯する付帯情報に含まれる、前記取得されたタイミングにおける時間情報、前記診断画像ファイルに付帯する付帯情報に含まれる、撮影されたタイミングにおける時間情報などの各時間情報をもとに、時間順に各ファイルを呼び出すことを記した（各診断画像ファイルと、前記第１の動画像ファイルおよび前記第２の動画像ファイル並びに音声情報ファイルを関連付けした情報）を作成する（Ｓ１０６）。
【００７８】
ここで、前記関連情報の具体例としては、例えば、図４に示す例の場合には、時刻ＴＳでは、前記第１の動画像ファイル、第２の動画像ファイル、前記音声情報ファイルを同時に開いて各表示領域において各々表示実行させ、時刻Ｔ１では、診断画像ファイル０１を開いて対応する表示領域において表示実行させ、時刻Ｔ２では、診断画像ファイル０２を開いて対応する表示領域において表示実行させ、時刻Ｔ３では、診断画像ファイル０３を開いて対応する表示領域において表示実行させ、時刻Ｔ４では、診断画像ファイル０４を開いて対応する表示領域において表示実行させるという具合に、時間順に呼び出すべきファイルが記述されたプログラムなどであることが好ましい。
【００７９】
さらに、前記関連情報に含まれる前記時間情報を基準とした合成情報ファイルを作成する（Ｓ１０７）。この合成情報ファイルは、関連情報を付帯情報として記録媒体に格納されることなる。
【００８０】
このようにして、記録媒体の記録面に対し、上記送信されてきた合成情報ファイル（画像ファイル）に基づき、その内容を記録する。なお、この記録媒体への合成情報ファイルの記録は、複数の被検体Ｐに係る合成情報ファイルが指定された場合には、まず、その最初に指定された被検体Ｐに係る合成情報ファイルについて行われる。これを簡単に説明すると、記録媒体上には、例えば（複数の）合成情報ファイルと、一つの管理情報ファイルとから構成されるような記録が行われることになる。ここに「管理情報ファイル」とは、合成情報ファイル中の付随情報から、所定の基準で抽出された管理データにより構成される。また、ある１人の被検体Ｐに関し複数の合成情報ファイルが存在する場合には、そのような複数の合成情報ファイル０１、０２、…が記録されるとともに、前記管理情報ファイルは当該複数の合成情報ファイル０１、０２、…の各々に関する上記管理データから構成されるものとなる。
【００８１】
そして、前記診断画像を参照する旨の操作がなされか否かを判断する（Ｓ１０８）。このＳ１０８の判断処理において、前記診断画像を参照する旨の操作がなされていないと判断された場合には、処理を終了する。
【００８２】
一方、前記Ｓ１０８の判断処理において、前記診断画像を参照する旨の操作がなされているものと判断された場合には、参照される合成情報ファイルを呼び出し、前記第１の動画像ファイル、第２の動画像ファイル、音声情報ファイル、前記診断画像ファイルを対応する各表示領域に連動して表示するように処理（表示制御）する（Ｓ１０９）。
【００８３】
以上のように本実施の形態によれば、検査／処置中の映像、音声、タイムコードを関連付けた情報を利用することにより、複数の情報を関連付けることで総合的に細部まで記録に残すことができ、連動して表示されることで、各診断画像が如何なる状況のときに撮影されたものであるのかなど、再生時に手技の内容を総合的に細部まで把握することができ、検査／処置後のレポート作成、医師／技師の教育、また、検査中の人員配置を検討することによる検査の効率化に非常に有効である。また、この情報を病院サービスの一環として患者に公開することで、医療情報の開示が進む中、病院の信頼向上にも非常に有効である。
【００８４】
また、通常しなしば発生する医療ミス等は、前記医療に従事する者、例えば技師やドクターなどが、後で記憶を辿って認識され得るものであるが、本実施の形態では、前記画像情報や音声情報をリアルタイムで収集することにより、当該医療ミスのような事項も確認することも可能である。
【００８５】
［第２の実施の形態］
次に、本発明にかかる第２の実施の形態について、図７に基づいて説明する。なお、以下には、前記第１の実施の形態の実質的に同様の構成に関しては説明を省略し、異なる部分についてのみ述べる。図７は、本実施の形態の検査／処置情報記録システムの全体構成を示す説明図である。
【００８６】
上述の第１の実施の形態では、一つの検査室についての室内映像、手元映像、収集画像、術中音声等を連動して再生する構成としたが、本実施の形態では複数の検査室に関する情報を選択的に再生可能に形成した例を開示している。
【００８７】
具体的には、本実施の形態の検査／処置情報記録システム２００は、図７に示すように、複数の検査室２０１、２０２、２０３、２０４、・・と、これら各検査室の室内映像、手元映像、収集画像、術中音声等を各々保管する医用画像保管装置（画像サーバー）２１０と、複数の画像参照用端末（ビューア）２２０、・・、２２０ｎと、レポート作成に関する情報を格納したレポートサーバー２３０とが通信線Ｃを介したネットワークを形成して構成されている。
【００８８】
検査室２０１、２０２、２０３、２０４、・・には、各々前記第１の実施の形態同様に、室内映像を撮影するデジタルスチルカメラ、手元映像を撮影するデジタルスチルカメラ、医用画像診断装置、術中音声を取得するマイク等が各々形成されている。なお、検査室に応じて医用画像診断装置は、異なる種類のものであってもよい。例えば、Ｘ線画像撮影装置、ＩＶＲ−ＣＴ装置、Ｘ線ＣＴ装置、ＳＰＥＣＴ装置、ＰＥＴ装置、ＭＲＩ装置、超音波診断装置、等の各種の医用画像診断装置であってよい。
【００８９】
Ｘ線ＣＴ装置は、被検体を透過することで吸収の度合いが空間的に変化したＸ線を検知することにより、ＳＰＥＣＴ装置は、体内に投与し分布させた放射性同位体（ＲＩ）から発せられるガンマ線を検知することにより、ＭＲＩ装置は、核磁気共鳴信号を検知することにより、それぞれ被検体内の情報を取得し、これに基づき画像を再構成することが可能となっている。なお、上記Ｘ線画像撮影装置としては、例えばＣアーム等を備えたいわゆる「アンギオ装置」等を想定すればよい。なお、上記各種の医用画像診断装置は、それぞれ三次元画像をも生成することの可能なものであってよい。
【００９０】
医用画像保管装置２１０は、通常の画像サーバー等の情報処理装置でもよいし、高速ＣＰＵや大容量メモリ、さらに場合によっては、画像処理専用のアクセラレータ等を装備するとともに、各種の三次元観察をするための様々な機能を有してよい。また、医用画像保管装置２１０には、例えばＣＤ−Ｒ、ＤＶＤ等の搬送可能な大容量の記録媒体Ｍに対するデータの記録、また該記録媒体Ｍからのデータの読み出しを行うことの可能な記録・読出装置が付設されることが好ましい。
【００９１】
一方、上記通信線Ｃに対しては、図７に示すように、複数の画像参照用端末２２０、…、２２０ｎが接続されている。（被検体に関する）元となる画像データは、上記各種の医用画像診断装置より供給されるが、本実施形態においては、該画像参照用端末と各種医用画像診断装置とを接続する通信線Ｃを介して（ネットワーク経由で）、参照可能になっている。これら画像参照用端末２２０、…、２２０ｎは、通常市販にて容易に手に入る情報処理装置が想定され、上記医用画像保管装置２１０に比べて一般に低速のＣＰＵ及び小容量のメモリを装備する。なお、本実施形態においては、医用画像保管装置２１０からの画像データの読み出しを行うことができる。
【００９２】
なお、これら画像参照用端末２２０、…、２２０ｎには、記録媒体Ｍに対するデータの記録及び該媒体Ｍからのデータの読み出しが可能な記録・読出装置が接続されてることが好ましい。
【００９３】
また、レポートサーバー２３０（レポート作成装置）なども情報処理装置などによって構成されており、前記検査ないしは処置に関するレポートを作成する。これにより、画像参照用端末２２０は、前記合成情報ファイルにて表示される情報の内容を前記レポートサーバー２３０からのレポート情報に反映可能に構成される。
【００９４】
さらに、通信線Ｃは、図７に示すように、外部との接続を図ることが可能となっている。ここにいう「外部」とは、例えばいわゆるインターネットを想定すればよく、その他、別の有線接続されたネットワークを想定してもよい。
【００９５】
画像参照用端末２２０に表示される表示画面としては、例えば、図８に示すようなものが挙げられる。図８に示すように、表示画面３３０には、検査室１に関する情報を表示する第１検査室情報表示部３１０、・・、検査室Ｎに関する情報を表示する第Ｎ検査室表示部３２０と、レポート作成サーバーからのレポート作成画面を表示したレポート作成画面表示部３３０と、が形成されている。
【００９６】
これら各表示部は例えばウインドウ形式で表示形成され、各種映像や診断画像を前記第１の実施の形態同様に関連性を持たしては把握することができる他、検査室や患者毎にも前記画像情報を手技などの細部に亘って把握でき、例えばレポート作成の参考とすることができる。また、特定の診断画像等を、レポート作成用の表示部に貼り付けるなどをして利用することもできる。
【００９７】
第１検査室情報表示部３１０では、検査室１の患者に関する室内映像を表示した室内映像表示部３１１、同じく術者手元映像を表示した術者手元映像表示部３１２、収集画像を表示した収集画像表示部３１３、ロードマップ像等を表示した表示部３１４、各種操作ボタンを表示した表示部３１６などが形成されている。
【００９８】
因みに、室内映像表示部３１１においては、特定のタイミングでの動画像を再生可能とするための設定部３１１ａが形成される。そして、当該設定部３１１ａにより動画像の再生開始時期を随意に変更することができる。この変更により、動画像の任意の途中部分から再生することができる。例えば、特定タイミングから室内映像が再生されると、同じタイミングからそれと連動して術者手元映像やその他の収集画像、ロードマップ像等も連動して再生されることとなる。このために、前記設定部３１１ａは、動画像の再生可能な表示部に一つだけ設けておけばよい。
【００９９】
また、各種操作ボタン等が形成された表示部３１６においては、出力される音量などを調整する音量調整操作部３１６ａなどが形成されている。
【０１００】
以下では、上記構成例となる本実施形態のシステムの作用効果について説明する。まず、上記各種の検査室２０１乃至２０４によって生成された合成情報ファイルは、通信線Ｃ、つまりネットワークを経由して医用画像保管装置２１０に転送され、この転送された合成情報ファイルは、内蔵する大容量メモリに記録される。さらに、記録媒体Ｍに対して記録することもできる。
【０１０１】
そして、画像参照用端末２２０、・・、２２０ｎから医用画像保管装置２１０にアクセスすることにより、特定の合成情報ファイルを前記画像参照用端末２２０において参照することが可能となる。
【０１０２】
この他、画像参照用端末２２０からはレポートサーバー２３０に対してアクセスして、レポート作成のための情報が閲覧可能となり、図８に示す表示画面として表示することができる。
【０１０３】
以上のように本実施の形態によれば、ネットワークを介して複数の各検査室の各合成情報ファイルを医用画像保管装置にて一元的に保管し、当該医用画像保管装置に対して画像参照用端末からアクセスすることにより、複数の各合成情報ファイルを必要に応じて参照することができる。
【０１０４】
しかも、画像参照用端末からはネットワークを介してレポートサーバーに対してもアクセス可能なことから、レポート作成を行なうにあたり、同時に前記医用画像保管装置からの対応する患者ないしは手技または診断画像の合成情報ファイルを取得することができるので、合成情報ファイルの内容をレポート作成の参考とすることができる。
【０１０５】
なおまた、本実施形態における画像参照用端末としては、上記したようにネットワークを形成するパソコンのみでなく、通信線Ｃに接続されていない（いわゆる「スタンド・アローン」な）パソコンも存在する。ただし、このようなパソコンにも、上記と同様な記録・読出装置が接続される構成としてもよい。
【０１０６】
なお、記録・作成された記録媒体Ｍは、医用画像参照端末２２０、…、２２０ｎに接続されていた記録・読出装置に装着可能である。そして、これら医用画像参照端末２２０、…、２２０ｎでは、当該装着された記録媒体Ｍから画像データを読み出すことにより、画像の表示を行うことが可能となる。
【０１０７】
さらに加えて、上記実施形態では、記録媒体Ｍの具体例として、ＣＤ−Ｒ及びＤＶＤが利用されることが示されていたが、本発明はこれに限らず、例えばＭＯ（光磁気ディスク）、光ディスク等を利用する形態であっても当然に適用可能である。
【０１０８】
なお、本発明にかかる装置と方法は、そのいくつかの特定の実施の形態に従って説明してきたが、本発明の主旨および範囲から逸脱することなく本発明の本文に記述した実施の形態に対して種々の変形が可能である。
【０１０９】
例えば、前記第２の実施の形態において、各検査室に各々、第１の映像取得手段、第２の映像取得手段、音声情報取得手段、医用画像診断装置、検査処置情報記録装置、記録媒体を設置し、当該検査処置情報記録装置と通信線を介して前記医用画像保管装置、画像参照用端末、レポートサーバーと接続されたシステム構成としてもよい。
【０１１０】
また、例えば、上述の各実施の形態の検査処置情報記録システム、それに用いるサーバー、例えば、検査処置情報記録装置、医用画像保管装置、レポートサーバー等の情報処理装置、観察モニタ、画像参照用端末（ビューア）などの情報端末などにおいて処理される処理プログラム、説明された処理、データ（例えば、診断画像ファイル、第１の動画像ファイル、第２の動画像ファイル、音声情報ファイル、タイムコード情報、合成情報ファイル、管理情報ファイル、各種表示画面データ等）の全体もしくは各部を情報記録媒体に記録した構成であってもよい。さらに、上述の処理プログラムを、一般のパソコンや携帯端末で動作可能な電子メールソフトに組み込んだもの、あるいは組み込んだ電子メールソフトを記録した情報記録媒体も含む。
【０１１１】
この情報記録媒体としては、例えばＲＯＭ、ＲＡＭ、フラッシュメモリ等の半導体メモリ並びに集積回路、光ディスク、光磁気ディスク、磁気記録媒体等を用いてよく、さらに、ＣＤ−ＲＯＭ、ハードディスク、ＣＤ―Ｒ、ＣＤ―ＲＷ、ＦＤ、ＤＶＤＲＡＭ、ＤＶＤＲＯＭ、ＭＯ、ＺＩＰ、磁気カード、磁気テープ、不揮発性メモリカード、ＩＣカード等に記録して構成して用いてよい。
【０１１２】
具体的には、情報記録媒体は、検査室内における検査の様子を室内の全体の映像として取得可能な第１の取得手段、前記検査室内の術者の術中の手元映像を取得可能な第２の取得手段、前記術者の術中の音声情報を取得可能な音声情報取得手段、および、前記術者により検査される被検体に関する画像を収集して画像診断を行うための医用画像診断装置からの各情報を取得して情報処理を行なうプログラムを記録したものであり、術中に前記第１の取得手段にて取得された映像情報、前記術中に前記第２の取得手段にて取得された映像情報、前記術中に前記医用画像診断装置にて撮像されて全ての各診断画像情報、前記術中に前記音声情報取得手段にて取得された音声情報を合成した合成情報ファイルを、取得されたタイミングでの各時間情報に基づいて作成する処理を行なう情報と、作成された合成情報ファイルの各情報を、少なくとも１つの表示画面を分割した各表示領域に、各々対応するように連動して表示させる処理を行なうための情報と、を含む。
【０１１３】
さらにまた、媒体の例としては、コンピュータと別のデバイスの間の無線又は赤外線送信チャンネル、コンピュータで読取可能なカード、例えばＰＣＭＣＩＡカード、別のコンピュータ又はネットワーク上のデバイスへのネットワーク接続、及び電子メール送信とウェブサイトその他に記録された情報を含むインターネットやイントラネットにて利用されるものなどが挙げられる。
【０１１４】
この情報記録媒体を上記各実施の形態によるシステム以外の他のシステムあるいは装置で用い、そのシステムあるいはコンピュータがこの記憶媒体に格納されたプログラムコードを読み出し、実行することによっても、上記各実施の形態と同等の機能を実現できると共に、同等の効果を得ることができる。
【０１１５】
また、コンピュータ上で稼働しているＯＳ、サーバー、端末（携帯電話）上のＲＴＯＳ等が処理の一部又は全部を行う場合、あるいは記憶媒体から読み出されたプログラムコードが、コンピュータ、情報処理装置に挿入された拡張機能ボードやコンピュータに接続された拡張機能ユニットに備わるメモリに書き込まれた後、そのプログラムコードの指示に基づいて、上記拡張機能ボードや拡張機能ユニットに備わるＣＰＵ等が処理の一部又は全部を行う場合にも、上記実施の形態と同等の機能を実現できると共に、同等の効果を得ることができる。
【０１１６】
また、上述の実施の形態の「検査処置情報記録システム」を、ある「システム」の下位階層に組み込んだシステムとして、これら全体を本発明の「検査処置情報記録システム」として構成することも一向に構わない。
【０１１７】
なお、上述のシステムが搭載される情報処理装置としては、例えばパーソナルコンピュータに限らず、各種サーバー、ＥＷＳ（エンジニアリングワークステーション）、中型コンピュータ、メインフレームなどが挙げられ、サーバーとして利用する際にはこのサーバーにアクセス可能な端末にも一部のプログラムを搭載して構成することもでき、その他、携帯型情報端末、各種モバイル端末、ＰＤＡ、携帯電話機、ページャ等からも利用できる構成としても構わない。あるいは、これらの端末に表示されるアプリケーションとして改良されたもの（すなわち、本行動記録自動作成システムにサービスを提供するための種々の改良ユーザーインターフェースを組み入れたもの、あるいはパソコン表示用画面や携帯電話機用表示用画面などハードウエア環境の違いによって生じ得る異なるプログラム要素）も本システムの範囲に含めることができる。
【０１１８】
さらに、前記方法（処理手順）及び本明細書で全般的に記述される手法並びに各種データベース、画面データの情報は、コンピュータシステムを用いて実施されてよい。このようなシステムでは、コンピュータシステム内で実行されるアプリケーションプログラムなどのソフトウェアとして、コンピュータにより実行されるソフトウェア中の命令により達成される。ソフトウェアは、前記方法を実行する部分と、コンピュータとユーザとのユーザインタフェースを管理する部分の２つの別々の部分に分割してもよい。ソフトウェアは、例えば、記憶装置を含むコンピュータ読み取り可能な媒体に格納してもよい。ソフトウェアは、コンピュータ読み取り可能な媒体からコンピュータにロードされ、コンピュータにより実行される。そのようなソフトウェア又はコンピュータプログラムが記録されたコンピュータ読み取り可能な媒体は、コンピュータプログラム製品である。コンピュータにおけるコンピュータプログラム製品の使用は、好都合な装置を達成する。
【０１１９】
なお、本実施の形態にて説明されたプログラムは、ハードディスクもしくはメモリに常駐することが好ましく、実行時にＣＰＵにより読み出され、制御される。プログラムの中間記憶領域及びネットワークから取得したいかなるデータも半導体メモリを用いて、あるいはハードディスク装置とともに用いて達成してもよい。幾つかの例においては、アプリケーションプログラムは、ＣＤ−ＲＯＭ又はフロッピー（Ｒ）ディスクに記録してユーザーに供給し、対応する装置を介して読み出すか、あるいはモデム装置を介してユーザーがネットワークから読み出してもよい。
【０１２０】
さらに、ソフトウェアは、磁気テープと、ＲＯＭ又は集積回路と、光磁気ディスクと、コンピュータモジュールと別の装置との間の無線又は赤外線の伝送チャネルと、ＰＣＭＣＩＡカードなどのコンピュータ読み取り可能なカードと、電子メール伝送及びウェブサイト上などで記録された情報を含むインターネット及びイントラネットとを含むその他のコンピュータ読み取り可能な媒体からコンピュータシステムにロードすることも可能である。これまでの説明は、関連するコンピュータ読み取り可能な媒体のただの例示である。その他のコンピュータ読み取り可能な媒体も、本発明の趣旨から逸脱することなく実施することができる。
【０１２１】
さらに、本発明の実施形態は、コンピュータ産業及びデータ処理産業に適用可能であり、必ずしも特定の基準に準拠していない可能性のあるコンピュータソフトウェアアプリケーションに適用可能であることは、上述から明らかである。
【０１２２】
さらに、上記実施形態には種々の段階が含まれており、開示される複数の構成要件における適宜な組み合わせにより種々の発明が抽出され得る。つまり、上述の各実施の形態同士、あるいはそれらのいずれかと各変形例のいずれかとの組み合わせによる例をも含むことは言うまでもない。また、実施形態に示される全構成要件から幾つかの構成要件が削除された構成であってもよい。
【０１２３】
そして、これまでの記述は、本発明の理解を容易にするために、本発明の実施の形態の一例を開示したものであり、前記実施の形態は例証するものであり制限するために記載されたものではなく、所定の範囲内で適宜変形及び／又は変更が可能である。従って、上記の実施の形態に開示された各要素は、本発明の技術的範囲に属する全ての設計変更や均等物を含む趣旨である。
【０１２４】
【発明の効果】
以上説明したように本発明によれば、検査／処置中の映像情報、音声情報、時間情報により関連付けた情報を利用することにより、連動して表示されることで、各診断画像が如何なる状況のときに撮影されたものであるのかなど、再生時に手技の内容を総合的に細部まで把握することができ、検査／処置後のレポート作成、医師／技師の教育などに、また、検査中の人員配置を検討することによる検査の効率化に非常に有効である。
【図面の簡単な説明】
【図１】本発明の一実施の形態に係る検査／処置情報記録システムの全体の概略構成の一例を示すシステムブロック図である。
【図２】図１の検査／処置情報記録装置の詳細を示す機能ブロック図である。
【図３】図１の検査／処置情報記録システムの観察モニタに表示される表示画面の一例を示す説明図である。
【図４】取得される各情報と時間との関係を説明するための説明図である。
【図５】ファイル構造を説明するための説明図である。
【図６】本発明の一実施の形態に係る検査／処置情報記録システムの処理手順の一例を示すフローチャートである。
【図７】本発明の他の実施の形態に係る検査／処置情報記録システムの全体の概略構成の一例を示すシステムブロック図である。
【図８】図７の検査／処置情報記録システムの画像参照用端末に表示される表示画面の一例を示す説明図である。
【符号の説明】
１　検査／処置情報記録システム
２　デジタルカメラ（第１の映像取得手段）
３　デジタルカメラ（第２の映像取得手段）
４　マイク（音声情報取得手段）
５　Ｘ線診断装置
１０　検査／処置情報記録装置
１７　記録媒体
１８　観察モニタ
２００　検査／処置情報記録システム
２１０　医用画像保管装置
２２０　画像参照用端末
【図１】
2004041605.tif 000003
【図２】
2004041605.tif 000004
【図３】
2004041605.tif 000005
【図４】
2004041605.tif 000006
【図５】
2004041605.tif 000007
【図６】
2004041605.tif 000008
【図７】
2004041605.tif 000009
【図８】
2004041605.tif 000010